(57)【要約】【課題】化粧グリルの着脱を容易にすることができることを目的とする。【解決手段】化粧グリル８の外周壁内側に台形形状の爪部９を複数個設け、この爪部９と嵌合するフレーム引掛け部１０を爪部９の台形傾斜面と平行になるように形成したという構成にしたことにより、化粧グリル８取り外し時、化粧グリル８の爪部９の台形傾斜面はフレーム引掛け部１０の傾斜面と面接触しながら移動し取り外すので、化粧グリル８の着脱を容易にすることができる換気装置を得られる。【選択図】図１
2013142499.tif 000002
【特許請求の範囲】
【請求項１】
部屋の天井裏に取り付けられ、下面に天井板の開口部に対応する吸込口と吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧グリルを備え、前記化粧グリルの外周壁内側に台形形状の爪部を複数個設け、この爪部と嵌合するフレーム引掛け部を前記爪部の台形傾斜面と平行になるように形成したことを特徴とする換気装置。
【請求項２】
爪部とフレーム引掛け部とを、化粧グリルに設けた取っ手部の中心の外周壁内側に設けたことを特徴とする請求項１に記載の換気装置。
【請求項３】
爪部とフレーム引掛け部とを、化粧グリルに設けた取っ手部の両側の外周壁内側に設けたことを特徴とする請求項１に記載の換気装置。
【請求項４】
化粧グリルが、フレームに嵌合した状態でフレーム引掛け部に接触しない位置に台形形状の第２の爪部を２個以上設けたことを特徴とする請求項１に記載の換気装置。
【請求項５】
外周壁を凹ませて形成した化粧グリル取っ手部を化粧グリルの中心軸に対し対称の位置に２個設け、本体フレーム部分もこれに嵌合する形状とし、左右の取っ手部の凹部を異なる形状としたことを特徴とする請求項２〜４のいずれかに記載の換気装置。
【請求項６】
外周壁を凹ませて形成した化粧グリル取っ手部を、化粧グリルの中心軸に対し対称の位置から片方をずらして２個設け、本体フレーム部分もこれに嵌合する形状にしたことを特徴とする請求項２〜４のいずれかに記載の換気装置。
【発明の詳細な説明】
【技術分野】
【０００１】
本発明は、主に天井面、壁面に設置される換気装置の化粧グリルに関するものである。
【背景技術】
【０００２】
従来、この種の換気装置は、天井裏または壁面に本体を埋設し屋外と連通しているダクトと接続して使用され、本体を取り付けた後に室内側より化粧グリルを取り付けるため、フレームと化粧グリルに取り付け構造を設けて嵌合させるものが知られている（例えば、特許文献１参照）。
【０００３】
以下、特許文献１に記載の換気装置について図７を参照しながら説明する。
【０００４】
図７に示すように、換気装置は、室外空気を室内に給気する搬送空気をダクトを介して室内へ吹き出すように設けられる構造で、前記ダクトと接続されるグリル本体１０１と、グリル本体１０１を、天井や壁等を構成する板材１０２に取り付ける固定機構１０３とを備え、グリル本体１０１には、空気が通る開口部１０４と、化粧グリル１０５の周縁に形成されたフランジ部１０６とが形成され、そして、開口部１０４と対向して室内側に化粧グリル１０５が着脱可能に取り付けられている。化粧グリル１０５は、化粧グリル１０５に一体成形された樹脂からなる嵌合部と、グリル本体１０１のフランジ部１０６との嵌合のみで取り付けられている。
【先行技術文献】
【特許文献】
【０００５】
【特許文献１】特開２００９−６３２１１号公報
【発明の概要】
【発明が解決しようとする課題】
【０００６】
このような従来の換気装置においては、本体フレームと嵌合する化粧グリルの爪部とフレームの引掛け部が線接触のため、化粧グリルが着脱しにくい、という課題を有していた。
【０００７】
そこで本発明は、上記従来の課題を解決するものであり、化粧グリルの着脱を容易にすることができる換気装置を提供することを目的とする。
【課題を解決するための手段】
【０００８】
そして、この目的を達成するために、本発明は、部屋の天井裏に取り付けられ、下面に天井板の開口部に対応する吸込口を有しかつ側面に吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧パネルを備え、前記化粧グリルの外周壁内側に台形形状の爪部を複数個設け、この爪部と嵌合するフレーム引掛け部を前記爪部の台形傾斜面と平行になるように形成したこととしたものであり、これにより所期の目的を達成するものである。
【発明の効果】
【０００９】
本発明によれば、化粧グリルの外周壁内側に台形形状の爪部を複数個設け、この爪部と嵌合するフレーム引掛け部を前記爪部の台形傾斜面と平行になるように形成したという構成にしたことにより、化粧グリル取り外し時、化粧パネル爪部の台形傾斜面はフレーム引掛け部の傾斜面と面接触しながら移動し取り外すこととなるので、化粧グリルの着脱を容易にすることができる、という効果を得ることができる。
【図面の簡単な説明】
【００１０】
【図１】本発明の実施の形態１の換気装置を示す分解斜視図
【図２】同換気装置の化粧グリル取付構造を示す部分断面図
【図３】同換気装置の分解斜視図
【図４】同換気装置の化粧グリル取付構造を示す部分断面図
【図５】同換気装置の分解斜視図
【図６】同換気装置の化粧グリル取っ手部を示す平面図
【図７】従来の換気装置を示す側面断面図
【発明を実施するための形態】
【００１１】
本発明の請求項１記載の換気装置は、部屋の天井裏に取り付けられ、下面に天井板の開口部に対応する吸込口と吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧グリルを備え、前記化粧グリルの外周壁内側に台形形状の爪部を複数個設け、この爪部と嵌合するフレーム引掛け部を前記爪部の台形傾斜面と平行になるように形成した、という構成を有する。これにより、化粧グリル取り外し時、化粧グリル爪部の台形傾斜面はフレーム引掛け部の傾斜面と面接触しながら移動し取り外すこととなるので、化粧グリルの着脱を容易にすることができる、という効果を奏する。
【００１２】
また、爪部とフレーム引掛け部とを、化粧グリルに設けた取っ手部の中心の外周壁内側に設けた、という構成にしてもよい。これにより、化粧グリルの取り外し時に、変形される取っ手部に一番近い箇所に爪部を設けることにより外側に最大限変形させることとなるので、化粧グリルを少ない力で取り外すことができる、という効果を奏する。
【００１３】
また、爪部とフレーム引掛け部とを、化粧グリルに設けた取っ手部の両側の外周壁内側に設けた、という構成にしてもよい。これにより、化粧グリル爪部を取っ手部両側に設けることにより２箇所で化粧グリルを保持することができる。また化粧グリル取外し時変形される取っ手部に近い箇所に爪部を設けているので外側に変形しやすくすることとなるので、化粧グリルを安定して本体フレームに取り付けることができる。取り外す際も比較的少ない力で外すことができる、という効果を奏する。
【００１４】
また、化粧グリルが、本体フレームに嵌合した状態でフレーム引掛け部に接触しない位置に台形形状の第２の爪部を２個以上設けた、という構成にしてもよい。これにより、第２の爪部は本体フレームに嵌合した状態で応力を受けないため経年劣化による破損が他の爪部より少ない。化粧グリル保持用の爪部が破損した場合でも第２の爪部が本体フレームに引っかかることとなるので、長期使用においても化粧グリルが落下するのを防止できる、という効果を奏する。
【００１５】
また、外周壁を凹ませて形成した化粧グリル取っ手部を化粧グリルの中心軸に対し対称の位置に２個設け、本体フレーム部分もこれに嵌合する形状とし、左右の取っ手部の凹部を異なる形状とした、という構成にしてもよい。これにより、本体フレームの２箇所の凹部と化粧グリルの２箇所の凹部が同一形状の箇所にて嵌合することとなるので、化粧グリルの誤取付を防止できる、という効果を奏する。
【００１６】
また、外周壁を凹ませて形成した化粧グリル取っ手部を、化粧グリルの中心軸に対し対称の位置から片方をずらして２個設け、本体フレーム部分もこれに嵌合する形状にした、という構成にしてもよい。これにより、本体フレームに設けた２箇所凹部と化粧グリルに設けた２箇所の凹部の相対位置が同一の箇所にて嵌合することとなるので、化粧グリルの誤取付を防止できる、という効果を奏する。
【００１７】
以下、本発明の実施の形態について図面を参照しながら説明する。
【００１８】
（実施の形態１）
本発明は、天井面、室内壁面等の壁面に取り付けられる換気装置に装着される化粧グリルの取付構造に関するものであり、本実施の形態１では、天井板に取り付けられる化粧グリルの取付構造について説明する。
【００１９】
図１、２に示すように、部屋の天井裏に取り付けられ、下面に天井板１の開口部に対応する吸込口２と吐出口３を有する本体フレーム４と、前記本体フレーム４内部に前記部屋内の空気を前記吸込口２から吸入して前記吐出口３から吐出する送風ユニット５と、この前記送風ユニット５のターボファンである羽根６の回転軸方向前面側のほぼ中央に吸込口を有し前記送風ユニット５を包囲するファンケーシング７と、前記本体フレーム４の前記部屋の室内側に着脱自在に装着される化粧グリル８を備え、前記化粧グリル８の外周壁内側に台形形状の爪部９を複数個設け（この実施の形態１では４個）、この前記爪部９と嵌合するフレーム引掛け部１０を前記爪部９の台形傾斜面と平行になるように形成したものである。
【００２０】
また、図３に示すように、前記化粧グリル８を前記本体フレーム４に固定する取付構造に関し、前記化粧グリル８に設けた前記爪部９とこれに嵌合する前記フレーム引掛け部１０を前記化粧グリル８に設けた取っ手部１１の中心の外周壁内側に設けた構成にしてもよい。この形態にすると、化粧グリル８を外すしやすくすることができる。
【００２１】
あるいは前記化粧グリル８に設けた前記爪部９とこれに嵌合する前記フレーム引掛け部１０を前記化粧グリル８に設けた前記取っ手部１１の両側の外周壁内側に設けた構成にしてもよい。この形態にすると、化粧グリル８を安定して取り付けることができる。
【００２２】
なお、図３は爪部９とこれに嵌合するフレーム引掛け部１０を取っ手部１１の両側の外周壁内側に設けた構成を示している。
【００２３】
また、図３、４に示すように、前記化粧グリル８が、前記本体フレーム４に嵌合した状態で前記フレーム引掛け部１０に接触しない位置に台形形状の第２の爪部１２を２個以上設けた構造にしてもよい。この形態にすると、確実に化粧グリル８の落下を防止することができる。
【００２４】
また、図５に示すように、外周壁を凹ませて形成した前記化粧グリル８の前記取っ手部１１を前記化粧グリル８の中心軸に対し対称の位置に２個設け、前記本体フレーム４もこれに嵌合する形状とし、左右の前記取っ手部１１の凹部を異なる形状とした構成にしてもよい。この形態にすると、設置場所に寄らず化粧グリル８を取り付けることができる。
【００２５】
また、図６に示すように、外周壁を中心側に凹ませて形成した前記化粧グリル８の前記取っ手部１１を、前記化粧グリル８の中心軸に対し対称の位置から片方をずらして２個設け、前記本体フレーム４もこれに嵌合する形状にした、という構成にしてもよい。
【００２６】
上記構成において、化粧グリル８取り外し時、化粧グリル８の爪部９の台形傾斜面はフレーム引掛け部１０の傾斜面と面接触しながら移動し取り外すこととなるので、化粧グリル８の着脱を容易にすることができる。
【００２７】
また、化粧グリル８の取り外し時に、変形される取っ手部１１に一番近い箇所に爪部９を設けることにより外側に最大限変形させることとなるので、化粧グリル８を少ない力で取り外すことができる。
【００２８】
また、化粧グリル８の爪部９を取っ手部１１の両側に設けることにより２箇所で化粧グリル８を保持することができ、化粧グリル８取り外し時変形される取っ手部１１に近い箇所に爪部９を設けているので外側に変形し易いため取り外す際も比較的少ない力で外すことができ、化粧グリル８を安定して本体フレーム４に取り付けることができる。
【００２９】
また、化粧グリル８に設けた第２の爪部１２は本体フレーム４に嵌合した状態で応力を受けないため経年劣化による破損が他の爪部９より少ない。化粧グリル８保持用の爪部９が破損した場合でも第２の爪部１２が本体フレーム４に引っかかることとなるので、長期使用においても化粧グリル８が落下するのを防止できる、という効果を奏する。
【００３０】
また、本体フレーム４の２箇所の凹部と化粧グリル８の２箇所の凹部が同一形状の箇所にて嵌合することとなるので、化粧グリル８の誤取付を防止できる、という効果を奏する。
【００３１】
これにより、本体フレーム４に設けた２箇所凹部と化粧グリル８に設けた２箇所の凹部の相対位置が同一の箇所にて嵌合することとなるので、化粧グリル８の誤取付を防止できる、という効果を奏する。これらの誤取付防止に関しては化粧グリルに運転ランプ確認窓等がある場合、化粧グリル取り付け位置に方向性がでてくるのでこのような構造は有用である。
【産業上の利用可能性】
【００３２】
本発明にかかる換気装置は、化粧グリルの着脱を容易にすることができ、主に天井面、壁面に設置される換気装置に使用される化粧グリル等として有用である。
【符号の説明】
【００３３】
１    天井板
２    吸込口
３    吐出口
４    本体フレーム
５    送風ユニット
６    羽根
７    ファンケーシング
８    化粧グリル
９    爪部
１０  フレーム引掛け部
１１  取っ手部
１２  第２の爪部
【図１】
2013142499.tif 000003
【図２】
2013142499.tif 000004
【図３】
2013142499.tif 000005
【図４】
2013142499.tif 000006
【図５】
2013142499.tif 000007
【図６】
2013142499.tif 000008
【図７】
2013142499.tif 000009